Podtech/llm-jp-corpus-v4-ja_patent huggingface dataset:
(57)【要約】【課題】家庭で犬、猫等動物を飼育する場合壁にマーキングや引っ掻き傷、または子供のいたずら書きを家庭で簡単に取り付ける事ができ壁の汚れ等を防ぐ物が無かった【解決手段】住宅用建材として施行できる物はあるが（腰パネル等）一般家庭では取り付けが難しい、そこで今回考案したものは素材をダンボールにし安全ピンで簡単に取り付けられ破損した場合簡単に取り替える事ができる様にした。【選択図】図１
0003126703.tif 000002
【実用新案登録請求の範囲】
【請求項１】
住宅等の壁面にダンボールで作った腰壁を安全ピンで取り付け、壁面を猫又は犬の引っ掻き傷やマーキングから保護する物である。
【考案の詳細な説明】
【技術分野】
【０００１】本考案は犬、猫のマーキング、引っ掻き傷から壁を保護する物に関する。
【背景技術】
【０００２】腰壁等は住宅建材としては存在するが専門家による施行のため一般家庭での施行は難しい。
【考案の開示】
【考案が解決しようとする課題】
【０００３】住宅建材にある腰壁等は一般家庭での施行は難しいが本考案の物は一般家庭でも施行が簡単である。
【課題を解決する為の手段】
【０００４】一般家庭でも簡単に施行出来る様に素材をダンボールで作り安全ピン等で安全に取り付けられる。
【考案の効果】
【０００５】本考案の物であれば取り付けるとき壁（クロス）等を著しく傷つけず尚汚れたり、破れたりした場合簡単に交換ができる。
【考案を実施する為の最良の形態】
【０００６】本考案品は素材としてダンボールで作り、一般家庭でも加工し易くし取り付け方法として安全ピンを使用し、汚れたり、破れたりした場合簡単に交換出来る。
【実施例】
【０００７】住宅の廊下、部屋等の壁の下部に取り付け犬、猫等のマーキング、引っ掻き傷から壁面の保護ができる。
【図面の簡単な説明】
【図１】姿図  ワン、ニャン壁ガードを壁に取り付けた状態
【図２】分解図  （図１）の（姿図）を部品別に外した状態
【図３】部品図  ▲１▼の立面図  ▲２▼の立面図  ▲３▼の立面図  ▲４▼の立面図  ▲５▼の立面図
【符号の説明】
▲１▼  本体
▲２▼  貼り始め、終わり見切り材
▲３▼  上下見切り材
▲４▼  本体ジョイナー
▲５▼  取り付け用安全ピン（市販の物で代用可能）
【図１】
0003126703.tif 000003
【図２】
0003126703.tif 000004
【図３】
0003126703.tif 000005
【手続補正書】
【提出日】平成18年6月29日(2006.6.29)
【手続補正１】
【補正対象書類名】実用新案登録請求の範囲
【補正対象項目名】全文
【補正方法】変更
【補正の内容】
【実用新案登録請求の範囲】
【請求項１】
住宅等の壁面を犬、猫等のマーキング、掻き傷又は子供のいたずら書き等をガードする物で素材はダンボールであり本体の左右に貼り始め見切り材又はジョイナーを、本体の上下に上下見切り材を安全ピンにより設けた壁を保護する壁ガードであり、ジョイナーで本体をジョイントした際にも本体左右に見切り材を設ける壁ガード。
(57)【要約】【課題】  最終の結合部の位置を、どこにすると強いか、スタットの強化ラインをどのように何処にいれるか。【解決手段】結合部はなるべく施工に関係ない内側角にもって行きスタットのラインは最大限入れる【選択図】図１
0003126706.tif 000002
【実用新案登録請求の範囲】
【請求項１】
建築で間仕切りに使用する、鋼製下地材で厚さ０．５ミリで亜鉛メッキ加、工がしてある角スタッドがあり、図３のように直角又はクランクしている部分には３本のスタッドが入り、１本１本独立している為従来は強度的にも弱く独立している角スタッドを接合するのに溶接あるいはビス止めをしてたが、角スタッドの厚みが０．５ミリと薄い為たびたび外れる事が有り、施工にも時間がかかっていた、３本の角スタッドを合体させ１本化にする事で強度、仕事能率が上がりコストダウンにもなり、壁の入り隅出墨、天井、垂れ壁等いろいろな所で使用出来る、サイズ等は、鋼製下地材でランナーと言う、材料があり凹型ランナーを床面と天井面に付けて、それにはめ込みになっている為企画に合うように製作してどのランナーにも対応出来る、鋼製下地コーナー角スタッド。
【考案の詳細な説明】
【技術分野】
【０００１】本考案は、壁の出墨、入り隅の部分の揺れを無くし強度を強くし仕事の能率を上げる為３本を１本化にしたものである。
【背景技術】
【０００２】従来は３本独立していて１体化になっていなかった。
【考案の開示】
【考案が解決しようとする課題】
【０００３】スタッド３本で施工の場合、コーナーは溶接又はビスで止めていたが、止め無い場合もあり揺れがあった、３本分の材料費より安くなる。
【課題を解決するための手段】
【０００４】３本を１本にすると三面分無くなるのでスタッドの周りに出来るだけ補強ラインを縦方向に入れる。
【考案の効果】
【０００５】一体化にする事で、コーナースタッドだけでなく他にも用途が多大に増える施工時間短縮でき綺麗に施工できる、材料費の減少にもなる。
【図面の簡単な説明】
【０００６】
【図１】１本化した鋼製下地コーナー角スタッドの立面図
【図２】考案した鋼製下地コーナー角スタッドを使用した施工図
【図３】従来の３本で独立していた施工図
【符号の説明】
【０００７】１  溶接箇所
２  独立スタッド
【図１】
0003126706.tif 000003
【図２】
0003126706.tif 000004
【図３】
0003126706.tif 000005
【手続補正書】
【提出日】平成18年6月23日(2006.6.23)
【手続補正１】
【補正対象書類名】実用新案登録請求の範囲
【補正対象項目名】全文
【補正方法】変更
【補正の内容】
【実用新案登録請求の範囲】
【請求項１】
鋼製下地材で中空エル型の縦長状部材で部材側面に補強ラインを有する鋼製下地コーナー角スタッド。
【手続補正２】
【補正対象書類名】明細書
【補正対象項目名】全文
【補正方法】変更
【補正の内容】
【考案の詳細な説明】
【技術分野】
【０００１】  本考案は、独立している、鋼製下地材中空角型スタッド３本の柱を１本にするものである。
【背景技術】
【０００２】  建築建物の間仕切り壁で、直角に曲がる所には、必ず３本の角スタッドが必要でした。
【考案の開示】
【考案が解決しようとする課題】
【０００３】  建築で間仕切り壁に使用する、鋼製下地材、厚さ０．５ミリで亜鉛メッキ加工してある、中空型角スタッドが有り図３のように直角に曲がる部分には、１本１本独立している角スタッドを入れていて、従来は別々の為、揺れや段差も出来、解消する為に接合していましたが厚さが薄い為溶接ではうまく出来ない、ビス止めでも時間がかかり、それらの作業をしているとかなり時間と人工が掛かります。
【課題を解決するための手段】
【０００４】  図１のように３本の中空型角スタッドをエル型中空角スタッドにする。
【考案の効果】
【０００５】  壁の揺れが無くなり、継ぎ目の段差も無く、接合時の溶接、ビス止め工法が解消され、１本化なので強度もあり、仕事能率が上がりコストもダウンにもなり、現場溶接が無くなり綺麗に施工できる他にもコーナー角スタッドが使える用途が、広がります。
【図面の簡単な説明】
【０００６】
【図１】従来の独立型角スタッドを１本化にした、鋼製下地コーナー角スタッドの斜視図
【図２】従来の独立型角スタッドで壁の角部分を構成した構造を示す拡大斜視図
【図３】考案した、鋼製下地コーナー角スタッドで壁の角部分構成した斜視図
【符号の説明】
【０００７】  １  考案の鋼製下地コーナー角スタッド  ２  従来独立型角スタッド  ３  建築材料で壁面や天井に貼る石膏ボード  ４  角スタッドをはめ込む為、上下に取り付けるコ型ランナー  ５  溶接又はビス止め箇所縦に３００ミリ間隔止め
【手続補正４】
【補正対象書類名】図面
【補正対象項目名】全図
【補正方法】変更
【補正の内容】
【図１】
0003126706.tif 000006
【図２】
0003126706.tif 000007
【図３】
0003126706.tif 000008
(57)【要約】      （修正有）【課題】就学児は、自転車に乗ったりする時に頭部を保護する為にヘルメット着用が日常的であるが、無防備な幼児にあっては装着に重く、違和感がある。【解決手段】本考案の帽子１は、サイドクラウン４の内部にプチプチと芯地を、交互に何層にも接着して構成。トップクラウン２には蒸れ防止の為、空隙３を付設、トップ内側には消耗、衛生上考慮、用途に応じ着脱自在のプチプチ入りパット、ロ、を独立して構成取替可能にした。また顎紐６を付けることで、ずれを防止するものである。外見は一般の帽子と変わらず、頭部の衝撃を柔らげ、防寒効果もあり便利である。【選択図】図２
0003126710.tif 000002
【実用新案登録請求の範囲】
【請求項１】
帽子のトップとサイドクラウンの全周内部に梱包用のプチプチを配置、トップには空隙を形成させ、内側から着脱自在の、プチプチを独立して構成したことを特徴とする帽子である。
【考案の詳細な説明】
【技術分野】
【０００１】本考案は、就学前の小さな子供との外出時、頭部の衝撃を柔らげるとともに、防寒帽子としての機能を備え、プチプチのリサイクルとして、他分野での利用を促進するものである。
【背景技術】
【０００２】従来の帽子に本考案に構成した、梱包用プチプチを使用した帽子は無かった。
【考案の開示】
【考案が解決しようとする課題】
【０００３】就学児は、自転車に乗ったりする時に頭部を保護する為に、ヘルメット着用が日常的であるが無防備な幼児にあっては、装着に重く違和感がある。
【課題を解決する為の手段】
【０００４】本考案の帽子はトップとサイドクラウンの内部にプチプチと芯地を、交互に何層にも接着して構成トップには蒸れ防止の為、空隙を付設、トップ内側には、消耗、衛生上考慮、用途に応じ着脱自在のプチプチを独立して構成、取替え可能にした。また顎ひもを付けることで、ずれを防止するものである。帽子の形状、プチプチの径、帽子の素材について、本考案の要旨の範囲内において、限定されるものではない。
【考案の効果】
【０００５】本考案の帽子は幼児を連れての外出時、衝撃が、比較的小さく装着時間も短い事から、重く違和感のあるヘルメットではなく、転倒時の衝撃を柔らげ軽量で携帯に便利、防寒効果もあり、見た目は一般の帽子と、変わらず形状も自在に対応出来、常備していると便利で安心である。
【実施例】
【０００６】帽子本体１のトップクラウン２に通気の為、空隙３を付設。トップクラウン内側にプチプチ入りの独立したパット、ロを挿入、着脱自在とした。
サイドクラウン４の内部にプチプチ、ハを挿入、日除のつば５を設け、顎紐を付ける。
【図面の簡単な説明】
【０００７】
【図１】帽子本体図である。
【図２】考案した帽子の使用状況を示す図である。
【図３】着脱自在パット
【符号の説明】
【０００８】１  帽子本体
２  トップクラウン
３  空隙
４  サイドクラウン
５  つば
６  顎ひも
イ  トップクラウンプチプチ
ロ  パット
ハ  サイドクラウンプチプチ
【図１】
0003126710.tif 000003
【図２】
0003126710.tif 000004
【図３】
0003126710.tif 000005
【手続補正書】
【提出日】平成18年8月8日(2006.8.8)
【手続補正１】
【補正対象書類名】実用新案登録請求の範囲
【補正対象項目名】全文
【補正方法】変更
【補正の内容】
【実用新案登録請求の範囲】
【請求項１】
帽子のトップとサイドクラウンの全周内部に、エアーキャップを配置、トップには空隙を形成させ、内側から着脱自在の、エアーキャップを独立して構成したことを特徴とする、エアーキャップ装着帽子。
【手続補正２】
【補正対象書類名】明細書
【補正対象項目名】全文
【補正方法】変更
【補正の内容】
【考案の詳細な説明】
【技術分野】
【０００１】本考案は、就学前の小さな子供との外出時、頭部の衝撃を柔らげるとともに、防寒帽子としての機能を備える。
【背景技術】
【０００２】従来の帽子に本考案に構成した、エアーキャップを使用した帽子は無かった。
【考案の開示】
【考案が解決しようとする課題】
【０００３】就学児は、自転車に乗ったりする時に頭部を保護する為に、ヘルメット着用が日常的であるが無防備な幼児にあっては、装着に重く違和感がある。
【課題を解決する為の手段】
【０００４】本考案の帽子はトップとサイドクラウンの内部に、エアーキャップと芯地を、交互に何層にも接着して構成、トップには蒸れ防止の為、空隙を付設、トップ内側には、消耗、衛生上考慮、用途に応じ着脱自在のエアーキャップを独立して構成。顎ひもを付けることでずれを防止する。
帽子の形状、エアーキャップの径、帽子の素材について、本考案の要旨の範囲内において、限定されるものではない。
【考案の効果】
【０００５】本考案の帽子は幼児を連れての外出時、衝撃が、比較的小さく装着時間も短い事から、重く違和感のああるヘルメットではなく、転倒時の衝撃を柔らげて軽量で携帯に便利、防寒効果もあり、見た目は一般の帽子と変わらず、常備していると安心である。
【実施例】
【０００６】帽子本体１のトップクラウン２に通気の為、空隙３を付設。トップクラウン内側にエアーキャップ入りの独立したパット（ロ）を挿入、着脱自在とする。
サイドクラウン４の内部にエアーキャップ（ハ）を挿入、日除けのつば５を設け、顎紐を付ける。
【図面の簡単な説明】
【０００７】
【図１】  帽子本体図である。
【図２】  考案した帽子の一部切欠状態を示す図である。
【図３】  一部切欠着脱自在パット
【符号の説明】
【０００８】  １  帽子本体
２  トップクラウン
３  空隙
４  サイドクラウン
５  つば
６  顎ひも
（イ）トップクラウンエアーキャップ
（ロ）パット
（ハ）サイドクラウンエアーキャップ
(57)【要約】【課題】垂れ下がったり、曲がり癖の付いたりしにくい踵バンドを有する靴を提供する。【解決手段】踵部分をバンド（４）で固定する形式の靴において、前記バンド（４）の少なくとも一部分を樹脂製形状保持テープ（７）で補強している。樹脂製形状保持テープ（７）は、バンド（４）全長のうち、着用者の踵に接する部分及びその周辺は含まれるようにして全体の１／５以上をカバーする。樹脂製形状保持テープ（７）は、ポリオレフィンを主原料として、一軸方向に分子配列制御されたテープであることが好ましい。【選択図】図１
0003126793.tif 000002
【実用新案登録請求の範囲】
【請求項１】
踵部分をバンド（４，４Ａ）で固定する形式の靴において、前記バンド（４，４Ａ）の少なくとも一部分を樹脂製形状保持テープ（７，７Ａ）で補強したことを特徴とする踵バンドを有する靴。
【請求項２】
前記樹脂製形状保持テープ（７，７Ａ）が、前記バンド（４，４Ａ）全長のうち、着用者の踵に接する部分及びその周辺は含まれるようにして全体の１／５以上をカバーするものである請求項１記載の靴。
【請求項３】
前記バンドを筒状としてその中に前記樹脂製形状保持テープ（７，７Ａ）を収納している請求項１又は２記載の靴。
【請求項４】
前記樹脂製形状保持テープ（７，７Ａ）が、ポリオレフィンを主原料として、一軸方向に分子配列制御されたテープである請求項１ないし３のいずれかに記載の靴。
【考案の詳細な説明】
【技術分野】
【０００１】
本考案は、婦人靴のサンダル等、踵部分をバンドで固定する形式の靴に関する。
【背景技術】
【０００２】
踵部分をバンドで固定する形式のサンダルは周知であり、例えば下記特許文献１のような技術が知られている。
【特許文献１】登録実用新案第３０１６２５０号
【考案の開示】
【考案が解決しようとする課題】
【０００３】
前記特許文献１の公報図面に現れている踵バンドは比較的に広幅であるので、腰があって、不使用時に垂れ下がるようなことはないと思われる。しかし、もっとファッション性のある婦人靴などでは、踵バンドは細幅のものが好んで用いられ（例えば、本願添付図面の婦人用シューズを参照）、そのような踵バンドは、不使用時には、重力によりしなって垂れ下がってしまう欠点がある。
【０００４】
それよりももっと大きな問題は、商品として箱詰めされて配送中に、左右靴が箱の中で相互に押し付けられて、踵バンドに変な曲がり癖が付いてしまうことである。そうなるとなかなか修正が効かず、販売を目の前にして商品価値を落としてしまいやすい。
【０００５】
本考案は、この問題を解決することを目的とするもので、垂れ下がったり、曲がり癖が付いたりしにくい踵バンドを有する靴を提供することを目的とする。
【課題を解決するための手段】
【０００６】
本考案の靴は、踵部分をバンドで固定する形式の靴において、前記バンドの少なくとも一部分を樹脂製形状保持テープで補強したことを特徴とする。
【考案の効果】
【０００７】
本考案によれば、踵部分をバンドで固定する形式の靴において、前記バンドの少なくとも一部分を樹脂製形状保持テープで補強されているので、垂れ下がったり、曲がり癖が付いたりしにくい。それは樹脂製形状保持テープが次のような性質を有するからである。
（１）樹脂製形状保持テープは、針金のように折り曲げることができる。また、折り曲げ時の曲げ戻りもほとんどない。
（２）樹脂製形状保持テープは、変形後もそのままの形状を保つことができる。
（３）針金であれば繰り返しの曲げにより亀裂が生じるが、樹脂製形状保持テープは何度でも使用可能である。
【考案を実施するための最良の形態】
【０００８】
樹脂製形状保持テープは、踵バンドの少なくとも一部分をカバーする。最低限、着用者の踵に接する部分及びその周辺は含まれるようにするのが好ましい。その場合は、全長の１／５程度の長さをカバーするものとなる。好ましくは、着用者の踵に接する部分及びその周辺を含み、全長の１／５〜４／５をカバーするものとすることである。もちろん全長をカバーするものであってもよいが、長さ調節用にバックルなどがバンドに取り付けられているときには、その部分には樹脂製形状保持テープを取り付けることができない。
【０００９】
樹脂製形状保持テープで靴用バンドを補強する方法としては、靴用バンドを筒状としてその中に樹脂製形状保持テープを収納するのが好ましい。樹脂製形状保持テープを外部から見えないようにすることができるからである。樹脂製形状保持テープが外部から見えても構わなければ、靴用バンドの内側又は外側に貼り付けることもできる。
【００１０】
樹脂製形状保持テープとしては、ポリオレフィンを主原料として、一軸方向に分子配列制御されたテープが好ましい。そのようなテープとしては、例えば積水化学工業株式会社製造の「ＦＯＲＴＥ（フォルテ）」（商標）を使用することができる。
【実施例１】
【００１１】
図１は、実施例１にかかる婦人靴であり、踵部分をバンドで固定する形式のものである。つま先部１、底板部２、ヒール３、バンド４、バンド長さ調節部５、バンド支持部６を有する。
【００１２】
バンド４のうち、着用者の踵に接する部分及びその周辺は樹脂製形状保持テープ７（図中、点線で表示した部分）で補強されている。全長の１／５程度の長さが補強されていることになる。
【００１３】
樹脂製形状保持テープとしては、ポリオレフィンを主原料として、一軸方向に分子配列制御されたテープである「ＦＯＲＴＥ（フォルテ）」（商標）を使用する。このテープは、さまざまなサイズのものが用意されているが、本考案の目的のためには、幅約３ｍｍ、厚み約０．３〜約０．６ｍｍのものが好ましい。
【００１４】
樹脂製形状保持テープ７は、筒状のバンド４の中に収納されているので、外部からは見えない。
【実施例２】
【００１５】
図２は、実施例２にかかる婦人靴である。つま先部１Ａ、底板部２Ａ、ヒール３Ａ、バンド４Ａ、バンド長さ調節部５Ａ、バンド支持部６Ａを有する。
【００１６】
バンド４Ａのほぼ全長が樹脂製形状保持テープ７Ａで補強されている点で、実施例１と異なる。ただし、長さ調節用にバックル５Ａなどがバンドに取り付けられているので、その部分には樹脂製形状保持テープ７Ａを取り付けられていない。
【００１７】
樹脂製形状保持テープ７Ａの素材及びその取付方法は実施例１と同様である。
【図面の簡単な説明】
【００１８】
【図１】実施例１にかかる婦人靴の斜視図である。
【図２】実施例２にかかる婦人靴の斜視図である。
【符号の説明】
【００１９】
１，１Ａ      つま先部
２，２Ａ      底板部
３，３Ａ      ヒール
４，４Ａ      バンド
５，５Ａ      バンド長さ調節部
６，６Ａ      バンド支持部
７，７Ａ      樹脂製形状保持テープ
【図１】
0003126793.tif 000003
【図２】
0003126793.tif 000004
(57)【要約】【課題】  梅風味と同美観を備えた煮豆包装品を提供する。【解決手段】  水に戻した大豆を、あく抜きした後、重曹、リン酸塩、着色料を添加して沸騰させて梅色に着色させ、圧力釜でボイルし、他方砂糖、液糖、トレハロースにて糖度を調製した漬け込み液に梅酢エキス、クエン酸、食塩及び赤しその葉を添加した漬け込み液を用意し、該漬け込み液に上記ボイルした大豆を漬け込み、さらに砂糖、液糖、トレハロースの漬け込み液により糖度を調整して煮豆を製造し、該煮豆を深さ１ｃｍ〜２ｃｍで内容積を１００ｃｍ３〜３００ｃｍ３となしたトレイ内へ、凡そ平面上となるように並列させると共に、全体を透明フィルムで包装する。【選択図】      図３
0003126800.tif 000002
【実用新案登録請求の範囲】
【請求項１】
水に戻した大豆を、ミョウバン、次亜硫酸を添加して沸騰させあく抜きした後、重曹、リン酸塩、着色料を添加して沸騰させて梅色に着色させ、圧力釜でボイルし、他方砂糖、液糖、トレハロースにて糖度５０％〜６０％に調製した漬け込み液に梅酢エキス、クエン酸、食塩及び赤しその葉を添加した漬け込み液を用意し、該漬け込み液に上記ボイルした大豆を漬け込み、さらに砂糖、液糖、トレハロースの漬け込み液により糖度を５０％〜６０％に調整して煮豆を製造し、該煮豆を深さ１ｃｍ〜２ｃｍで内容積を１００ｃｍ３〜３００ｃｍ３となしたトレイ内へ、凡そ平面上となるように並列させると共に、全体を透明フィルムで包装したことを特徴とする煮豆包装品。
【考案の詳細な説明】
【技術分野】
【０００１】
本考案は、煮込んだ大豆の一定量をトレイ内へ包装した煮豆包装品に関する。
【背景技術】
【０００２】
小豆、大豆、いんげん、そら豆、・・・など豆類を味付けしながら煮込み、これを各種容器に入れ市販に供することは行われている。
【特許文献１】特開２００４−０６５１３７
【考案の開示】
【考案が解決しようとする課題】
【０００３】
従来に於ける市販の提供品は専ら瓶詰め製品となしたものである。これに対しポリエチレンなど平底の樹脂トレイに填入し、フィルム包装した提供品もある。前者は長期保存に適し、且つガラス瓶を通して、立体的に見せようとするものであり、後者は短期間に於ける簡便な使用に供するものであるが、同時に平面的な視野で見せることができる上で、食欲をそそることのできるメリットがある。本考案は後者のものに於いて、風味の助長と美観に寄与を図らんとするものである。
【課題を解決するための手段】
【０００４】
本考案品に係る煮豆包装品は、水に戻した大豆を、ミョウバン、次亜硫酸を添加して沸騰させあく抜きした後、重曹、リン酸塩、着色料を添加して沸騰させて梅色に着色させ、圧力釜でボイルし、他方砂糖、液糖、トレハロースにて糖度５０％〜６０％に調製した漬け込み液に梅酢エキス、クエン酸、食塩及び赤しその葉を添加した漬け込み液を用意し、該漬け込み液に上記ボイルした大豆を漬け込み、さらに砂糖、液糖、トレハロースの漬け込み液により糖度を５０％〜６０％に調整して煮豆を製造し、該煮豆を深さ１ｃｍ〜２ｃｍで内容積を１００ｃｍ３〜３００ｃｍ３となしたトレイ内へ、凡そ平面上となるように並列させると共に、全体を透明フィルムで包装したことを特徴とする。
【考案の効果】
【０００５】
本考案品では、一定大きさのトレイ上へ平面上に並設された煮豆が梅色に着色され、これを透明フィルムを通して認識できるものとなるのであり、しかも梅酢エキス、クエン酸による酸味と赤しその葉の風味が付けられており格段の食欲をそそる付加価値の高い製品となるのである。
【考案を実施するための最良の形態】
【０００６】
図面は本考案に係る煮豆包装品の実施形態図であって、図１は深さ１ｃｍ〜２ｃｍでその内容積を凡そ１００ｃｍ３〜３００ｃｍ３となしたポリスチレンなどからなる合成樹脂製トレイ１である。図２は上記トレイ１に填入した煮豆２を示したものである。
【０００７】
煮豆２は、次の工程で製造される。即ち、大豆を一晩水で戻す。水戻しした大豆をミョウバン、次亜硫酸を添加して沸騰させあく抜きをする。このあく抜きは２回するとよい。あく抜きをした大豆に重曹、リン酸塩、着色料を添加して沸騰後４０分放置して梅色に着色させる。そして、圧力釜に於いて１気圧で２０分程度ボイルし、大豆を完全に軟らかくする。他方、砂糖、液糖、トレハロースにて糖度５０％〜６０％に調製した漬け込み液に梅酢エキス、クエン酸、食塩及び赤しその葉を添加した梅調味液を用意し、該梅調味液に上記ボイルした大豆を４時間漬け込み、蜜漬けする。このとき赤しその葉はしその風味を付けるためのものである。さらに砂糖、液糖、トレハロースの漬け込み液に１晩漬け、蜜漬け補正の１回目を行い、糖度を変えた砂糖、液糖、トレハロースの漬け込み液に１昼夜漬け、蜜漬け補正の２回目を行い、煮豆の糖度の仕上がりが５０％〜６０％になるように調整する。
【０００８】
このようにして製造された煮豆は、梅酢エキス、クエン酸及び赤しその葉により従来にない酸味と風味が得られ、梅色に着色された外観は視覚的にも食欲をそそるものとなった。
【０００９】
而して、本考案では図２に示す如く、上記煮豆２がトレイ１上で凡そ１〜３列状の平面上に並列させられるようになすのであり、このあと図３に示すように全体を透明フィルムで包装して製品となすのである。図示例ではトレイは方形状のものを示したが、円形や楕円形などの他の形状にすることも差し支えない。
【図面の簡単な説明】
【００１０】
【図１】本考案で使用するトレイの一例である。
【図２】上記トレイに煮豆を填入した説明図である。
【図３】上記を透明なフィルムで包装した製品斜視図である。
【符号の説明】
【００１１】
１    トレイ
２    煮豆
３    透明なフィルム
【図１】
0003126800.tif 000003
【図２】
0003126800.tif 000004
【図３】
0003126800.tif 000005
(57)【要約】      （修正有）【課題】幼児期から箸の正しい使い方を会得するための多く考案された箸はあるが、幼児が興味をもつ箸がなく親がいくら教えても覚えることが出来ず、大人でも正しく箸を握ることが苦手な人もいる。本考案は、幼児が興味をもつ箸として、箸のはしに点灯する物体を設けた箸を提供する。【解決手段】まず幼児が興味を示すことに重点をしぼり、箸のはしに付いた物体が点灯することにより、お母さん、お父さん、犬、猫などの笑い顔の絵印し、正しく握ったときに点灯し絵が見えるようにしたものである。そのことにより幼児が箸に興味をもつことになり、自分から正しく箸を握るとますます興味をもち早く正しい使いかたを会得するようになる。【選択図】図１
0003126749.tif 000002
【実用新案登録請求の範囲】
【請求項１】
箸のはしに点灯する物体を設けた箸
【考案の詳細な説明】
【技術分野】
【０００１】  本考案は、幼児に正しい箸の特方を会得する箸に関するものである。
【背景技術】
【０００２】  従来箸の特方を親が教えるものであるが、幼児になかなか覚えさすことに苦労していた。
【考案の開示】
【考案が解決しようとする課題】
【０００３】  これはつぎのような問題点があった。
幼児  箸の特方を教えるのには幼児が興味をもつような箸がなかった。
【課題を解決するための手段】
【０００４】  箸のはしに幼児が興味を持つ絵、たとえば、お父さん、お母さん、犬、猫などの笑い顔の絵を印し、正しく箸を特つ位置にスイッチを設け、正しく特つと箸のはしに設けた物体が点灯し絵が見える構造を設けて、幼児が正しく箸を握ることにより絵が見えることにより、箸に興味を特ち早く会得するようになるこのような構成で成る幼児用箸である。
【考案の効果】
【０００５】  上記の様に幼児が興味をもつ箸であるから、食事のときは親に教えてもらうが、それ以外では教える機会なく、幼児が箸に興味をもつことにより、ままごと遊びなどで玩具として使うことができ、幼児同志でも正しい箸の特方を自然と会得できる箸である。
【考案を実施するための最良の形態】
【０００６】  箸本体の半分上部分に電地を設けた付属品本体を付けて、箸を握る位置に４ヶ所スイッチを設け、幼児が正しく握ると体属品本体の上部分に付けた、お母さん、お父さん、犬、猫などの笑い顔が印した物体が点灯し、印した絵が見えるようになることにより、箸に興味をもつことになり早く箸の使い方を会得することになる。
【実施例】
【０００７】  箸本体（１）に付属品本体（２）を設け、電球（４）電地（３）金属線（８）板バネ（６）コイルバネ（７）スイッチ（９）電地ストッパー（１２）を配備配線し取付ける、絵を印した物体（５）を付けて、最後に、ネジ凹部（１０）ネジ凸部（１１）で一体化する、このような構成で成る幼児用箸を提供する。
【産業上の利用可能性】
【０００８】  従来幼児が興味をもつ箸がなく、考案の箸により、雰細企業でもも簡単に製品化が可能であるから、手作業含む幅広く活性化すると思われる。
【図面の簡単な説明】
【０００９】
【図１】  第一膳の斜視図
【図２】  絵を印した物体の斜視図
【図３】  付属品本体の一部分の正面図
【図４】  付属品本体の一部分の斜視図
【図５】  付属品本体の一部分の斜視図
【図６】  付属品本体の一部分の斜視図
【図７】  付属品本体の一部分の正面図
【図８】  付属品本体の一部分の斜視図
【図９】  箸本体の一部分の斜視図
【符号の説明】
【００１０】  １      箸本体
２      付属品本体
３      電地
４      電球
５      絵を印した物体
６      板バネ
７      コイルバネ
８      金属線
９      スイッチ
１０    ネジ凹部
１１    ネジ凸部
１２    電地ストッパー
【図１】
0003126749.tif 000003
【図２】
0003126749.tif 000004
【図３】
0003126749.tif 000005
【図４】
0003126749.tif 000006
【図５】
0003126749.tif 000007
【図６】
0003126749.tif 000008
【図７】
0003126749.tif 000009
【図８】
0003126749.tif 000010
【図９】
0003126749.tif 000011
(57)【要約】【課題】  本考案は、紐掛けを設けて素早く沢山の土嚢袋詰めが出来る事を目的とする。【解決手段】  本考案は、紐掛けが出来る構造により、袋がずれ落ちる事なく素早く袋詰めが出来、且つ軽量で積み重ねられる事により、収納も少スペースで可能である。【選択図】図１
0003126741.tif 000002
【実用新案登録請求の範囲】
【請求項１】
上部リングと下部リングを３本の支柱で支え、内１本に、紐掛けを設けた土嚢袋詰め用具。
【考案の詳細な説明】
【技術分野】
【０００１】  本考案は、土嚢袋に土嚢を入れる為の用具である。
【背景技術】
【０００２】  緊急時の土嚢袋詰めは、１人が土嚢袋を開き、もう１人がその袋に土嚢を入れている。実用新案登録第３１１９７１８号（土嚢製造具）には紐掛けがないので、土嚢を入れると袋がずり落ちる可能性がある。
【考案の開示】
【考案が解決しようとする課題】
【０００３】  土嚢を必要とする時は、緊急時が多い為、本考案は紐掛けを設けた事により、紐がくの字型の隙間に食い込む為、実用新案登録第３１１９７１８号（土嚢製造具）の紐体が凹部に窄められるだけよりも、袋がずれ落ちる事なく、１人で簡単に素早く沢山の袋詰めが出来る。
【課題を解決する為の手段】
【０００４】  本考案は、支柱に紐掛けを設け、上部リングは袋の開口部に合わせた寸法にし、下部リングも袋詰め後持ち上げて取り外し易い寸法である。支柱の高さは、袋が吊り下がらないもっともよい高さにしている。又支柱３本の上部を曲げる事によって、更に袋がずり落ちない構造になっている。重量も、約０．５ｋｇと軽量で持ち運びに楽である。収納も、何段も積み重ねる事が出来る。色は赤色にする事で防災にも適している。
【考案の効果】
【０００５】  上述の様に、本考案は、紐掛けが支柱についていて、紐を紐掛けに１回半巻くだけで紐が隙間に食い込み袋がずれ落ちない、又、結ぶ必要がなく袋を素早くセット出来る。
【考案を実施するための最良の形態】
【０００６】  土嚢袋を土嚢袋詰め用具に入れ、袋を開口して上部リングに掛け外に折り曲げる、紐を引いたまま紐掛け部分に掛け１回半巻く、土嚢を入れて紐掛けに掛けていた紐を外し、用具を上部に持ち上げて袋より放す。
【実施例】
【０００７】  以下、図１から図３に従って実施例を説明する。材質は全て鉄製６ｍｍの丸棒を用いて溶接構造とし、図１の１、上部リングは直径２８０ｍｍとし、図１の２、下部リングは直径３５０ｍｍとし、図１の３、支柱は高さ４００ｍｍで３本とし、図１の４、紐掛けは上部リングより１５０ｍｍ下の位置に、７０ｍｍのくの字型の丸棒を１箇所つける。くの字型の為上下５ｍｍの隙間が出来る。図１の５、支柱３本は上部３０ｍｍを４５°外側に曲げて上部リングと下部リングに取り付ける。【０００８】  図４に従って、使用方法を説明する。ａ、袋を土嚢袋詰め用具に入れ、ｂ、袋を開口して上部リングに掛け外側に曲げ、ｃ、紐を引き、ｄ、紐を引いたまま紐掛け部分に掛け１回半巻く、ｅ、土嚢を入れて紐掛けに掛けていた紐を外し、ｆ、用具を上部に持ち上げて袋より放し、開口部を結んで完了とする。【０００９】  本考案の実施例は上述の如き構成からなるものであるから、土嚢袋詰め用具は軽量で且つ積み重ねる事が出来るので、緊急時には特に適している。
【図面の簡単な説明】
【００１０】
【図１】本考案の土嚢袋詰め用具の実施例を示す全体図。
【図２】同用具の紐掛け部分の側面図。
【図３】同用具の紐掛け部分の正面図。
【図４】本考案の使用状況の課程を示す図面。
【符号の説明】
【００１１】  １  上部リング枠体
２  下部リング枠体
３  支柱
４  紐掛け
５  袋ずれ止め
【図１】
0003126741.tif 000003
【図２】
0003126741.tif 000004
【図３】
0003126741.tif 000005
【図４】
0003126741.tif 000006
(57)【要約】      （修正有）【課題】すべり止めの加工をした手袋の提供。【解決手段】ミトン型であるが、親指をのぞく４本指が出るようになっている。すべり止めが着いており、自分で車椅子を運転する際、力がかけやすく楽に動かせる。また、歩行中てすりを持つ時にも滑らず安心である。手袋の手の平側中央あたりが開口し指先部を外側へ折り返す事で、状況に応じて指を出す事が可能である。開口部は、閉じると２ｃｍ程生地が重なるのできちんと防寒できる。【選択図】図３
0003126748.tif 000002
【実用新案登録請求の範囲】
【請求項１】
次の１〜５からなる手袋
１  ミトン型です。
２  指先にカイロが入ります。
３  親指を除く指先４本の指を出したり覆ったりすることがでます。
４  すべり止めが手の平側に着いています。
５  要介護者用、作業者用、又は自転車の運転者用である手袋です。
【請求項２】
請求項１に記載の手袋であって、下記の構成を備えた手袋
手袋の手の平側中央あたりが開口して手の平部と指先部とに分離しており、手の平側上部の上に指先部下部が重なっており、指先部下部にはゴムが縫いつけられて伸縮可能になっており、指先部が手の甲側に折り返し可能に構成されている。
【請求項３】
請求項２に記載の手袋であって下記の構成を備えた手袋
手袋の手の平側中央部から親指側まですべり止めを取り付けている。
【請求項４】
請求項３に記載の手袋であって下記の構成を備えた手袋
すべり止めの材質はポリウレタン製メッシュになっており弾力性がある。
【請求項５】
請求項２〜４のいづれかに記載の手袋であって下記の構成を備えた手袋
手の甲側上部に袋布が重ねられ袋布と手の甲側上部とは下辺を除く周囲を縫い合わせてカイロ収納部をつくる。
手の甲側上部と袋布とはカイロ収納部下部に取り付けた面ファスナーによって開閉自由とする。
【考案の詳細な説明】
【技術分野】
【０００１】この考案は手袋に関するものである。
【背景技術】
【０００２】手袋を製作するきっかけは実父の在宅介護に始まります。
指先が想像以上に冷たく暖かくして散歩に出してあげたいと思いました。また立ち上がったり手すりを持つ時など通常の手袋だとすべり力が入りません。
【考案の開示】
【考案が解決しようとする課題】
【０００３】そのためにすべり止めをつけてみたらという発想から生まれました。
【課題を解決するための手段】
【０００４】  次の１〜４からなる手袋
１  ミトン型です。
手の平部８の手の平上部８１と指先部１０の指先下部１１とが重なっている。手の平上部８１外側に指先下部１１が重なっている。指先下部１１にはゴム１２が縫いつけられ伸縮可能となっている。
２  指先が親指を除く４本の指が出ます。
３  すベり止め３が内側についています。
４  要介護者用。作業者用、自転車の運転者用です。
【考案の効果】
【０００５】手袋の手の平側中央あたりが開口している。
指先部が外側に折り返し可能に構成されている。
手の平上部８に重ねると開口部が閉じられ２ｃｍ程生地が重なるのできちんと防寒できます。
【実施例】
【０００６】カイロ入れの説明
手の甲側部９の手の甲側上部９１に袋布４を重ねる。
袋布４と手の甲側上部９１とは下部を除く周囲を縫い合わせてカイロ収納部５をつくる。カイロ収納部５にカイロ６が収納できる。
手の甲側上部９１と袋布４とはカイロ収納部下部５１に取り付けた面ファスナー７によって開閉自由とする。【０００７】すべり止め３がついており自分で車椅子を力がかけやすく楽に動かせます。また歩行中てすりを持つ時にも滑らず安心です。手の甲側上部９１は袋布４と縫い合わせたポケットになっておりカイロ収納部５である。袋布４開口部は面ファスナー７等で止める構造になっている。
袋布４の開口部側先端には図１において左右方向にカイロ収納下部ゴム１３が取り付けられ、伸縮可能になっている。
【図面の簡単な説明】
【０００８】
【図１】手袋を甲側から見た背面図。
【図２】手袋を手の平から見た正面図。
【図３】図２のＡ−Ａ断面図。
【図４】袋布のカイロ収納口を開けた状態の部分断面図。
【符号の説明】
１  手袋全体
２  手の平側開口部
３  スベリ止め
４  袋布
５  カイロ収納部
５１  カイロ収納下部
６  カイロ
７  面ファスナー
８  手の平部
８１  手の平上部
９  手の甲側部
９１  手の甲側上部
１０  指先部
１１  指先下部
１２  指先下部ゴム
１３  カイロ収納下部ゴム
１４  手首ゴム
【図１】
0003126748.tif 000003
【図２】
0003126748.tif 000004
【図３】
0003126748.tif 000005
【図４】
0003126748.tif 000006
(57)【要約】【課題】  用紙および本に印刷された楽譜を通常の譜面台に載せる従来の方法では、演奏者自身が演奏中に各曲およびページを多ページに渡り選択して読み取ることは困難であった。【解決手段】  楽譜データおよび制御プログラムをあらかじめ該譜面台内に記憶させておき、該液晶等表示装置に多数ページに渡る楽譜データを選択表示する足又は手による簡単な外部操作スイッチを備える。【選択図】図１
0003126745.tif 000002
【実用新案登録請求の範囲】
【請求項１】
楽譜を表示する液晶等の表示装置と、楽譜データの記憶装置、および手又は足の外部操作で楽譜を選択表示する制御装置および制御スイッチを備えた譜面台。
【考案の詳細な説明】
【技術分野】
【０００１】  本考案は、楽器を演奏する際に演奏者自身が簡単な操作によって多数ページの楽譜を連続して読み取れる譜面台に関するものである。
【背景技術】
【０００２】従来は用紙および本に印刷された楽譜を従来の譜面台に載せて使用するのが通常の方法であり、演奏者自身が演奏中に任意の曲、ページの楽譜を多数ページに渡り選択することは困難であった。
【考案の開示】
【考案が解決しようとする課題】
【０００３】  解決しようとする問題点は、楽器の演奏者が演奏中に演奏者自身の操作によって任意の楽譜を多数ページに渡り容易に読み取ることができない点である。
【課題を解決するための手段】
【０００４】  本考案は、楽譜データおよび楽譜制御プログラムをあらかじめ該譜面台内の記憶装置に記憶させておき、足又は手の簡単な外部操作で任意の楽譜の読み取りを可能にすることを最も主要な特徴とする。
【考案の効果】
【０００５】  本考案の譜面台は、演奏者自身が演奏中にもかかわらず演奏に支障のない足又は手を使用する簡単な操作で曲を選択して楽譜を多数ページに渡り連続的に読み取れるという利点がある。
【実施例１】
【０００６】  図１は、本考案の１実施例の概略図であって、１〜４は、図２と同様である。楽譜記憶装置２は着脱可能な記憶素子であり、楽譜の追加および変更を容易にしている。手操作用制御スイッチ３と足操作用制御スイッチ４は平行して操作が可能で操作性が向上する。脚６の形状は該譜面台の使用環境により変更する。【０００７】  図２の制御装置８と制御プログラム９は該譜面台を制御し、制御スイッチインターフェース７は手操作制御スイッチ３および足操作制御スイッチ４の接続を可能にする。
【図面の簡単な説明】
【０００８】
【図１】  該譜面台の概略図である。該譜面台内部の制御装置、制御プログラムを含めた機能概要は図２に示す。
【図２】  該譜面台内部の機能ブロック図である。
【符号の説明】
【０００９】１  楽譜表示用液晶
２  楽譜記憶装置
３  手操作制御スイッチ
４  足操作制御スイッチ
５  ＡＣ電源又はバッテリー電源
６  譜面台の脚
７  制御スイッチインターフェース
８  制御装置
９  制御プログラム
【図１】
0003126745.tif 000003
【図２】
0003126745.tif 000004
(57)【要約】【課題】    家屋内を改造することが無く、家屋外に設置した段差昇降装置にて、車椅子生活者が１人でグランドラインに移動できるようにする。【解決手段】  昇降テーブルの上面に、３段もしくは５段のスライドフォークを設置し、尚且つスライドフォーク最上段面に、ターンテーブルを組込んだ構造とした。【選択図】図３
0003126744.tif 000002
【実用新案登録請求の範囲】
【請求項１】
昇降テーブルの上面に、３段若しくは５段のスライドフォークを設置し、横スライド移動を可能にした移動式段差昇降装置。
【請求項２】
昇降装置の上面に設置したフォーク最上段面にターンテーブルを組込み、方向変換をも可能にした、請求項１の移動式段差昇降装置。
【考案の詳細な説明】
【技術分野】
【０００１】  本考案は、人及び荷物を移送する輸送設備分野に属する。
【背景技術】
【０００２】  図１にて説明する、車椅子生活者が段差を解消するさい、従来は家屋内に設置された品番１０段差昇降装置を利用してグランドラインに移動していた。
【考案が解決しようとする課題】
【０００３】  家屋内を改造することが無く、家屋外に設置した段差昇降装置にて、車椅子生活者が１人でグランドラインに移動できるようにする。
【０００４】  前述に加え尚且つ、一人で方向変換を可能にすることであります。
【課題を解決するための手段】
【０００５】  昇降テーブルの上面に、３段若しくは５段のスライドフォークを設置しておくことにて課題を解決した。
【０００６】  段差昇降装置の狭小場所となる荷受面部分、に予めターンテーブルを組込む構造の荷受面にしておくことにて課題を解決した。
【考案を実施するための最良の形態】
【０００７】  以下、本考案に係る実施の形態を、図２から図５の添付図にもとづいて説明する。【０００８】  図２、にて車椅子生活者が屋外に出る行程を説明する。
品番１１昇降テーブルの上面に設置された３段フォーク上面を、オ方向にｈ１高さまで移動し、３段フォークを力方向に移動し、車椅子生活者はキ方向に移動し、段差昇降装置に乗移り、３段フォークはク方向に移動し基点に戻り、昇降テーブルをケ方向に移動して、グランドラインに移動し、直進の場合はコ方向に移動し、品番１５壁等がある場合は、品番１３ターンテーブルを角度θ１回転して段差昇降装置上面にて方向転換をして、進行方向を決定する。【０００９】  図３、にて車椅子生活者が屋外の車に移動する行程を説明する。
品番１１昇降テーブルの上面に設置された３段フォーク上面を、オ方向にｈ１高さまで移動し、３段フォークをカ方向に移動し、車椅子生活者はキ方向に移動し、段差昇降装置に乗移り、３段フォークはサ方向に移動し、昇降テーブルをシ方向に移動し、高さｈ２まで移動することにより、車椅子生活者は自力にて移動車輌に乗車可能となる。【００１０】  図４、にて本考案の段差昇降装置の組合せを説明する。
品番１１昇降テーブルは品番２５アンカーボルトにて固定され、昇降テーブル上面に品番１２本図においては３段スライドフォーク（若しくは５段）が、品番２６ボルトにて締結固定されており、品番１２−３最上段面フォークには、品番１３ターンテーブルを予め組込んだ構造とした。【００１１】  図５、にてベット生活者あるいは、荷物搬送台車の移動の場合をしめした。
移動方法は［０００９］図３と同様である。
【考案の効果】
【００１２】  上述のような本考案によれば、次のような効果が得られる。
【００１３】  車椅子生活者が１人で、他人の手を借りずに屋外に出られる。
【００１４】  車椅子利用者が移動するさい、常に前方向に移動ができるため、移動のさいの安心感が得られた。
【００１５】  車椅子生活者が１人で、他人の手を借りずに移動車輌に乗車出来る。
【００１６】  ベット生活者あるいは、荷物搬送台車の移動車輌への搬送が、大巾に簡略、楽な作業となった。
【００１７】  ベット生活者あるいは、荷物搬送台車の移動車輌への搬送が、常に前方向作業となり、移動のさいの安心感が得られた。
【００１８】  家屋内の改造を行わず、家屋外の設置にて段差移動が可能となった。
【図面の簡単な説明】
【００１９】
【図１】  従来の段差昇降装置
【図２】  車椅子生活者が屋外に出る場合をしめす。
【図３】  車椅子生活者が移動車輌に移動する場合をしめす。
【図４】  本考案の組込み状態をしめす。
【図５】  ベット移動、荷搬送台車の移動状態をしめす。
【符号の説明】
【００２０】１０  従来の段差昇降装置
１１  本考案の段差昇降装置
１２  本考案の３段スライドフォーク
１２−１  ベースフォーク
１２−２  セカンドフォーク
１２−３  トップフォーク
１３  ターンテーブル
１４  家屋壁面
１５  屋外壁面
２０  車椅子生活者
２１  ベット又は荷搬送台車
２２  移動車輌
２５  アンカーボルト
２６  締結ボルト
ＧＬ  グランドライン
ＦＬ  フロアーライン
θ１  回転角度
ｈ１  高さ方向寸法
ｈ２  高さ方向寸法
ア    説明用方向記号
イ    説明用方向記号
ウ    説明用方向記号
エ    説明用方向記号
オ    説明用方向記号
カ    説明用方向記号
キ    説明用方向記号
ク    説明用方向記号
ケ    説明用方向記号
コ    説明用方向記号
サ    説明用方向記号
シ    説明用方向記号
ス    説明用方向記号
【図１】
0003126744.tif 000003
【図２】
0003126744.tif 000004
【図３】
0003126744.tif 000005
【図４】
0003126744.tif 000006
【図５】
0003126744.tif 000007
(57)【要約】【課題】カラーコーンにワンタッチで取り付ける滑り止め（グリップ）を提供する。【解決手段】直径５０φ〜９０φのリング状の部材に、抜け止めになる金属プレートを内側に取り付け、かつ、外側に反射材を設けたことを特徴とするカラーコーンワンタッチグリップ。【選択図】図１
0003126723.tif 000002
【実用新案登録請求の範囲】
【請求項１】
直径５０φ〜９０φのリング状の部材（１）に、抜け止めになる金属プレート（２）を内側に取り付け、かつ、外側に反射材（３）を設けたことを特徴とするカラーコーンワンタッチグリップ。
【考案の詳細な説明】
【技術分野】
【０００１】  本考案は、カラーコーンにワンタッチで取り付ける滑り止めに関するものである。
【背景技術】
【０００２】  従来、カラーコーンの上部先端は、丸くて滑りやすかったにもかかわらず、滑り止め機能の付いたものはなかった。
購入してから各自で持ちやすく加工していたりしていて、後付け式の滑り止めのためのグリップやワンタッチで装着できるものはなかった。
特願２００３−３１１９９８は、発明者・出願人同じ。
【考案の開示】
【考案が解決しようとする課題】
【０００３】  それは次のような問題点があった。
（イ）カラーコーンは、簡易なバリケードとして使用され、頻繁に移動、片付けを行うので、持ちやすいと便利だが、転倒防止の重りがしてあると、片手では滑って持ちにくかった。雨で濡れていると非常に持ちにくく、片手では移動できない程だった。
（ロ）カラーコーン本体に滑り止め加工したものはコストがかかり製品としては困難であったし、すでに出回っているものは、各自で加工するしかなかった。
（ハ）積み重ねたカラーコーンを外す際に、くっついて外れにくい時があった。
本考案は、以上の問題点を解決するために考案されたものである。
【課題を解決するための手段】
【０００４】  直径５０φ〜９０φのリング状の部材（１）に、抜け止めになる金属プレート（２）を内側に取り付け、かつ、外側に反射材（３）を設けたことを特徴とするカラーコーンワンタッチグリップ。
【考案の効果】
【０００５】  カラーコーングリップを使用することによって持ちやすく扱いやすくなり、日々変化し行く現場に迅速にカラーコーンを設置・片付けの対応ができる。また、積み重なったカラーコーンを外す際に、面接触していて、くっついて外れない時があったが、線接触となるためにすぐに外すことができる。さらに、夜間でもよく目立ち事故防止に役立つ。しかも、既存のカラーコーンにも対応できる。
【考案を実施するための最良の形態】
【０００６】  以下、本考案の実施の形態について説明する。
（イ）直径５０φ〜９０φのリング状の部材（１）の内側に薄い金属プレート（２）を抜け止めになるように、斜めに取り付ける。
（ロ）部材（１）の外側に反射材（３）を装着する。
本考案は以上のような構造でこれを使用するときは、カラーコーン上部より差し込むようにして取り付ける。それは、抜け止めになっているために、カラーコーンにしっかりと固定することができ、楽にカラーコーンごと持ち運びできるための滑り止めとなる。
しかも、スペーサーの役割をするので、くっついて外れにくくなることを防ぎ、また、外側に反射材が装着してあるので、夜間でもよく目立つ。
【実施例１】
【０００７】  図３に示すように、部材（１）の内側に抜け止めとして取り付ける金属プレート（２）は、複数の箇所に設けるか、ぐるりと一周取り付けてもよいし、図４に示すように、部材（１）と抜け止め金属プレート（２）を一体成形してもよい。
金属プレート（２）は、カラーコーンにくい込んで、その重量を支えることさえできればよいので、薄く軽量で軽く触っても指先が切れない程度の鋭利さで、さびにくいことが好ましい。カラーコーンにしっかりと固定することができる。
また、反射材は、取り付ける必要性に応じて装着すればよく、付けなくてもよい。
【図面の簡単な説明】
【０００８】
【図１】本考案の斜視図
【図２】本考案の断面図
【図３】本考案の他の実施例を示す斜視図
【図４】本考案の他の実施例を示す断面図
【図５】本考案の使用状態を示す側面図
【符号の説明】
【０００９】  １  カラーコーングリップ本体
２  抜け止め金属プレート
３  反射材
４  カラーコーン上部
【図１】
0003126723.tif 000003
【図２】
0003126723.tif 000004
【図３】
0003126723.tif 000005
【図４】
0003126723.tif 000006
【図５】
0003126723.tif 000007